(57)【特許請求の範囲】
【請求項１】
浅いカップ状で、開口端部内周面に内側リング溝を形成したキャップ体と、このキャップ体が嵌着される棒状又はパイプ状で、そのキャップ体と嵌合する一端部外周面に外側リング溝を形成した被嵌着体とを、内側及び外側リング溝とを被嵌着体の軸線方向において整合させた状態で、弾性材料あよりなる環状のリテーナーを、上記内側及び外側リング溝に共通に係合させることにより相互に結合させるものであって、被嵌着体を保持すると共に、その軸線方向の位置を定める保持穴を形成したベース体と、このベース体の表面において保持穴に関し対称的に配設された一対の板状体で、被嵌着体の軸線に垂直な方向に移動可能に案内された第１スライダーと、各第１スライダーと重合し、相互に独立に移動可能に案内された板状体である第２スライダーと、これら第１及び第２スライダーをベース体に保持された被嵌着体に近接する方向及び被嵌着体から離間する方向に駆動する駆動機構とを有し、上記第１スライダーの相互に対向する端縁に被嵌着体の外径とほぼ同じ内径の円弧の一部である第１作動端縁を形成すると共に、第２スライダーの相互に対向する端縁に、第１作動端縁とほぼ同じ内径の円弧の一部をなし、第２スライダの板厚より薄い第２作動端縁を形成し、ベース体の保持穴に挿入された被嵌着体に対し、先ず一対の第１スライダーを近接させてその第１作動端縁上にリテーナーを載置する棚を形成し、次いで、第２スライダーを被嵌着体に近接させてその第２作動端縁によりリテーナーを縮径する方向に弾性変形させ、この状態でキャップ体を被嵌着体に押し付けつつ、第１及び第２スライダーを被嵌着体から離間させるようにしたことを特徴とするキャップ体の取付治具。
【発明の詳細な説明】
【技術分野】
【０００１】
この発明は、キャップ体の取付治具（以下単に治具という）に係り、特に、パイプ状の扉のハンドルの開口部を閉塞する蓋体や、シリンダ錠のキーガイド（以下単にキャップ体という）を、ハンドルやシリンダ錠外筒に容易に取付けることができる治具に関する。
【背景技術】
【０００２】
本出願人は、先に、下記特許文献１及び２を以て、パイプ状の扉のハンドルの両端開口をキャップ体で閉塞する管体に対する端部キャップの取付構造を提案した。
【０００３】
また、本出願人は、図２に示すように、浅いカップ状のキーガイド１（以下キャップ体という）をシリンダ錠の外筒２の外端に嵌着するにあたり、キャップ体の内周面に形成された内側リング溝３と、シリンダ錠の外端部外周面に形成された外側リング溝４とをシリンダ錠軸線方向において整合させ、これらのリング溝３、４の間に弾性材料によって構成されたリング状のリテーナーを介在させることによって結合するシリンダ錠を開発した。
【０００４】
なお、このシリンダ錠は、施解錠時鍵孔に合鍵を差込むことにより、この合鍵を介してキーガイド１と内筒とを一体的に連結する。
【特許文献１】特開平１０−２２０４３５号
【特許文献２】特開平１０−２４６０３８号
【発明の開示】
【発明が解決しようとする課題】
【０００５】
上記特許文献１及び２に記載された管体に対する端部キャップの取付構造は、キャップ体を開口を先にしてパイプの開口に押込むことにより両者を結合するので、取付作業は簡単であるが、構造が少し複雑である。
【０００６】
一方、上記したキャップ体としてのキーガイドをリテーナーを介して外筒に嵌着するシリンダ錠は、構造は簡単であるが、リテーナーを弾性変形させた上リング溝に挿入しなければならないので、取付作業が面倒で時間がかかる。
【０００７】
そこで、この発明は、取付作業を容易にすることができ、かつ取付部の構造を簡単にすることができる治具を提供し、以て上記した不都合を解消することを目的としている。
【課題を解決するための手段】
【０００８】
上記の目的を達成するため、請求項１に記載の発明は、浅いカップ状で、開口端部内周面に内側リング溝を形成したキャップ体と、このキャップ体が嵌着される棒状又はパイプ状で、そのキャップ体と嵌合する一端部外周面に外側リング溝を形成した被嵌着体とを、内側及び外側リング溝とを被嵌着体の軸線方向において整合させた状態で、弾性材料よりなる環状のリテーナーを、上記内側及び外側リング溝に共通に係合させることにより相互に結合させるものであって、被嵌着体を保持すると共に、その軸線方向の位置を定める保持穴を形成したベース体と、このベース体の表面において保持穴に関し対称的に配設された一対の板状体で、被嵌着体の軸線に垂直な方向に移動可能に案内された第１スライダーと、各第１スライダーと重合し、相互に独立に移動可能に案内された板状体である第２スライダーと、これら第１及び第２スライダーをベース体に保持された被嵌着体に近接する方向及び被嵌着体から離間する方向に駆動する駆動機構とを有し、上記第１スライダーの相互に対向する端縁に被嵌着体の外径とほぼ同じ内径の円弧の一部である第１作動端縁を形成すると共に、第２スライダーの相互に対向する端縁に、第１作動端縁とほぼ同じ内径の円弧の一部をなし、第２スライダーの板厚より薄い第２作動端縁を形成し、ベース体の保持穴に挿入された被嵌着体に対し、先ず一対の第１スライダーを近接させてその第１作動端縁上にリテーナーを載置する棚を形成し、次いで、第２スライダーを被嵌着体に近接させてその第２作動端縁によりリテーナーを縮径する方向に弾性変形させ、この状態でキャップ体を被嵌着体に押し付けつつ、第１及び第２スライダーを被嵌着体から離間させるようにしたことを特徴とする。
【発明の効果】
【０００９】
上記のように構成されたこの発明による治具は、ベース体に被嵌着体をセットし、一対の第１スライダーにより被嵌着体を挟みこむことによって被嵌着体の周囲にリテーナーを載置する棚部を形成し、この棚部に載置されたリテーナーを第２スライダーにより押し縮めてキャップ体を外側リング溝に係入させると共に内側リング溝に係入させることを容易にし、リテーナーを押し縮めた状態でキャップ体をリテーナーに被せ、キャップ体を被嵌着体に押し付けつつ第２及び第１スライダーを被嵌着体から離間させるようにしたので、被嵌着体に対するキャップ体の取付を容易にすることができる、という所期の効果を奏する。
【００１０】
また、キャップ体と被嵌着体との取付部の構造を簡単にすることができる、等種々の効果を奏する。
【発明を実施するための最良の形態】
【００１１】
被嵌着体をベース体に固定した状態で、第１及びスライダーの作用によりリング状のリテーナーを被嵌着体の外側リング溝に嵌め込んで一時的に固定し、この状態でキャップ体を被嵌着体に押しつけつつ、第１及び第２スライダーを被嵌着体から離間させるようにし、以て、キャップ体を容易に被嵌着体に取付けるようにした。
【実施例１】
【００１２】
以下、請求項１に記載の発明の実施例を図面を参照して説明する。
この実施例における被嵌着体は前記シリンダ錠の本体部で、キャップ体はキーガイドである。
【００１３】
図１及び図２において符号５はベース体を示し、図示の実施例におけるベース体５は、上面が左右に長いブロック体で、その上面両側部（図１で上下部）には細長い堤部６、６が形成されている。
【００１４】
この堤部６、６の間で、後述の第１及び第２スライダー７、８が図で左右に移動可能に支持、案内されている。
【００１５】
また、上記ベース体５の中央にはこれを上下方向に貫通するようにして、保持穴９（図２参照）が形成されており、この保持穴９中にシリンダ錠の本体部１１、すなわち、シリンダ錠からキーガイド（キャップ体）１を外したものが収納されている。
【００１６】
この保持穴９内には段部１２、１２（図８参照）が形成され、この段部にシリンダ錠の本体部の付番しない段部が係合して、その外側リング溝４がベース体の５の上面から所定の位置にあるように設定されている。
【００１７】
一方、上記ベース体の上面には、保持穴９に関して左右対称に、板状の一対の第１スライダー７、７が、及び各第１スライダー７の上側には第２スライダー８、８が、夫々左右方向に移動可能に、かつ、第１及び第２スライダ７、８が相互に相対的に移動できるように支持、案内されている。
【００１８】
図示の実施例では、一対の第２スライダー８の保持穴９に近い方の端部下面の肉が盗まれて付番しない段部が形成されており、この段部に第１スライダー７が収納されている。
【００１９】
そして、図１及び図２に示すように、各第２スライダー８の保持穴９に近い方の端部に左右方向に長いガイド穴１３が開口しており、各ガイド穴には各第１スライダー７の上面に植設されたガイドピン１４が左右方向に摺動可能に係合している（図８参照）。
【００２０】
また、図２に示すように、各第２スライダー８の下面側の付番しない段部には圧縮コイルばねとしてのスライドばね１５が弾装されている。
【００２１】
そして、このスライドばね１５の弾力により、各第１スライダー７が保持穴９方向に付勢されているが、上記ガイド穴１３とガイドピン１４との係合により、スライドばね１５に外力が作用しない状態においては図示の待機位置を保つ。
【００２２】
一方、図１に示すように、一対の第１スライダー７、７の相互に対向する端縁には、被嵌着体であるシリンダ錠本体部の外径とほぼ同じ内径の円弧の一部である第１作動端縁１６が形成されている。
【００２３】
同様に、一対の第２スライダ８、８の相互に対向する端縁部にも第１作動端縁１６とほぼ同じ内径の第２作動端縁１７が形成されている。
【００２４】
但し、図８に示すように、各第２作動端縁１７の上面側が円弧に沿って削られ、各第２作動端縁の保持穴９に近い方の端部は薄くなっている。
【００２５】
他方、図１に示すように、ベース体５の上面側にはリンク機構としての駆動機構１８が設けられている。
【００２６】
この駆動機構１８は第１及び第２駆動レバー１９、２１を有し、各駆動レバーは、ベース体５の上面側の図示しない基枠に固定された支軸２２に回動自在に支承され、支軸２２を中心として、ベース体５の上面に平行な平面内で自在に回動できる。
【００２７】
上記第１及び第２駆動レバー１９、２１の図における上端は連結レバー２３を介して相互にリンク結合されると共に、第１駆動レバー１９は連結穴２４及び連結ピン２５の係合を介して図１で左側の第２スライダー８に、第２駆動レバー２１は、同じく連結穴２４及び連結ピン２５の係合を介して図１で右側の第２スライダー８に、夫々連結されている。
【００２８】
そして、第１駆動レバー１９の自由端に設けられた握り玉２６を手に持って第１駆動レバー１９を反時計方向に回動させることにより、第２駆動レバー２１を第１駆動レバーと連動させて反時計方向に回動させることができる。
【００２９】
第１及び第２駆動レバー１９、２１において、連結穴２４及び連結ピン２５の係合部は支軸２２に関して上下対称的に設けられているから、上記第１及び第２駆動レバーの回動により、一対の第２スライダー８、８は保持穴９に近接する方向に駆動される。
【００３０】
上記のように構成された本発明の一実施例による治具は、図１及び図２に示すように、ベース体５の保持穴９中にシリンダ錠の本体１１を差込み、例えば重力により、シリンダ錠本体１１を保持穴９中に準安定的に固定する。
【００３１】
次いで、駆動機構の握り玉２６を持って右方に移動させると、一対の第２スライダー８、８が夫々連結ピン２５を介して第１駆動レバー１９又は第２駆動レバー２１に押動され、その第２作動端縁１７、１７がシリンダ錠本体を挟む方向に移動する。
【００３２】
しかしながら、前記したように、第２スライダー８の下面段部に第１スライダー７が収納され、この第１スライダー７と第２スライダーの下面段部との間にスライドばね１５が弾装されており、このスライドばね１５の弾力は第１スライダー７の摩擦抵抗より大きいので、第１及び第２スライダー７、８は一体的に摺動する。
【００３３】
また、図１に示すように、重なり合う第１及び第２スライダー７、８の内、第１スライダー７の方が第２スライダー８より保持穴９に近いので、第１スライダー７の方が第２スライダー８に先行して移動する。
【００３４】
その結果、図３及び図４に示すように、被嵌着体（シリンダ錠）１１の外側リング溝４のすぐ下の部分に第１スライダー７の第１作動作動端縁が接合するに致る。
【００３５】
すると、ここに弾性材料で構成され、全体の形状が略Ｃ字形のリテーナー２７（図５参照）を載置する付番しない棚部が形成されるので、ここに図４に示すようにリテーナー２７を載置する。
【００３６】
この状態から駆動機構１８の握り玉２６を更に右方に移動させると、図６及び図７に示すように、シリンダ錠１１に衝止されて停止した第１スライダー７に体し、第２スライダー８がスライドばね１５を押し縮めつつ相対的に移動する。
【００３７】
その結果、図６乃至図８（特に図８）に示すように、第２スライダー８の先端の薄い第２作動端縁１７が棚部に載置されたリテーナー２７を押し縮め、これを外側リング溝４中に押込める。
【００３８】
なお、上記及び図８に示す作動が可能なように、第１及び第２作動端縁の寸法、特に厚さ、及び上下方向の位置並びに相対位置関係を適切に設定するものとする。
【００３９】
次いで、キャップ体１を、その開口を下にしてシリンダ錠１１の上端部に臨ませ、図８に示すように、キャップ体１の下端開口をシリンダ錠の上端部に嵌合させる。
【００４０】
このとき、キャップ体１の下端開口の内周面が、リテーナー２７と少し嵌合できるように、第２作動端縁１７の厚さを設定すると良い。
【００４１】
図８に示すようにキャップ体１の下端開口を被嵌着体に少し嵌合させたところで、前記駆動機構の握り玉２６を左方に移動させ、一対の第２作動端縁１７、１７を拡開させつつ、キャップ体１を下方に押し、キャップ体１の下端縁を第１作動端縁状に落とす。
【００４２】
更に、前記駆動機構の握り玉２６を更に左方に移動させ、一対の第１作動端縁１６、１６を拡開させつつ、キャップ体１をさらに下方に押し、キャップ体１の下端縁をシリンダ錠の外面に形成された段部に接合させる。
【００４３】
すると、それまでキャップ体１の開口端部内周面に弾接していたリテーナー２７がキャップ体の内側リング溝３と整合するに致り、このときリテーナーはその弾性により元の形状に復帰し、外側及び内側リング溝３、４に跨がるので、キャップ体及び被嵌着体は安定、かつ被可逆的に結合される。
【図面の簡単な説明】
【００４４】
【図１】この発明の一実施例による治具の線図的平面図で、被嵌着体をベース体に装着した状態を示す。
【図２】その断面図。
【図３】図１と同様の治具の線図的平面図で、第１スライダにより被嵌着体を挟みこんだ状態を示す。
【図４】その断面図。
【図５】リテーナーの平面図。
【図６】図１と同様の治具の線図的平面図で、第２スライダによりリテーナーを弾性変形させた状態を示す。
【図７】その平面図。
【図８】図７の拡大図。
【符号の説明】
【００４５】
１  キャップ体
２  外筒
３  内側リング溝
４  外側リング溝
５  ベース体
６  堤部
７  第１スライダー
８  第２スライダー
９  保持穴
１１  シリンダ錠
１２  段部
１３  ガイド穴
１４  ガイドピン
１５  スライドばね
１６  第１作動端縁
１７  第２作動端縁
１８  駆動機構
１９  第１駆動レバー
２１  第２駆動レバー
２２  支軸
２３  連結レバー
２４  連結穴
２５連結ピン
２６  握り玉
２７  リテーナー
【図１】
0005177369.tif 000002
【図２】
0005177369.tif 000003
【図３】
0005177369.tif 000004
【図４】
0005177369.tif 000005
【図５】
0005177369.tif 000006
【図６】
0005177369.tif 000007
【図７】
0005177369.tif 000008
【図８】
0005177369.tif 000009